(57)【要約】      （修正有）【課題】電子装置を保護する同時に、電子装置を支持する保護ケースを提供する。【解決手段】保護ケースは、本体を備え、本体は、１つの収容部１１を備え、本体には、１つの開口１２が設けられ、保護ケースは、支持部材を備え、支持部材は、第一支持板２１及び第二支持板２２を備え、第一支持板２１の第一端部は、本体の内側にロックされ、且つ開口１２に沿ってスライドし、第一支持板２１の第二端部は、外力によって開口１２から本体の底部を突出し、第二支持板２２の第一端部の両側には、それぞれ第一突起２２１が形成され、第一支持板２１には、１つの凹溝２１２が設けられ、凹溝２１２の対向する両壁には、それぞれ少なくとも１つのロック孔２１２１が設けられ、２つの第一突起２２１は、それぞれ凹溝２１２の対向する両壁のロック孔２１２１に挿入され、且つ第一突起２２１がロック孔２１２１に対して回転し、第二支持板２２の第二端部は、回転可能に開口１２の一端に接続する。【選択図】図３
0003206201.tif 000002
【実用新案登録請求の範囲】
【請求項１】
本体を備え、前記本体は、１つの収容部を備える保護ケースにおいて、
前記本体には、１つの開口が設けられ、前記保護ケースは、更に前記開口に収容される支持部材を備え、
前記支持部材は、第一支持板及び第二支持板を備え、前記第一支持板の第一端部は、前記本体の内側にロックされ、且つ前記開口に沿ってスライドし、前記第一支持板の第二端部は、外力によって前記開口から前記本体の底部を突出し、
前記第二支持板の第一端部の両側には、それぞれ第一突起が形成され、
前記第一支持板には、１つの凹溝が設けられ、前記凹溝の対向する両壁には、それぞれ少なくとも１つのロック孔が設けられ、前記２つの第一突起は、それぞれ前記凹溝の対向する両壁のロック孔に挿入され、且つ前記第一突起が前記ロック孔に対して回転し、前記第二支持板の第二端部は、回転可能に前記開口の一端に接続することを特徴とする保護ケース。
【請求項２】
前記凹溝の対向する両壁には、それぞれ複数のロック孔が設けられ、前記２つの第一突起は、外力によって前記凹溝の対向する両壁に形成されている異なる前記複数のロック孔にスライドすることを特徴とする請求項１に記載の保護ケース。
【請求項３】
前記凹溝は、前記第一支持板の中央の位置から前記第一支持板の第二端部まで貫通して形成され、前記支持部材が前記開口に収容される際、前記第二支持板が前記凹溝に収容されることを特徴とする請求項１に記載の保護ケース。
【請求項４】
前記本体における前記開口の両側の位置には、前記本体の底部に向かって凹んだ２つのスライド溝が設けられ、前記第一支持板の第一端部には、前記第一支持板の両側に向かって延在したスライド部が形成され、前記スライド部は、前記スライド溝に収容され、且つ前記スライド溝に沿ってスライドして、前記第一支持板の第一端部が前記本体の内側に挿入され、且つ前記開口に沿ってスライドすることを特徴とする請求項１又は２に記載の保護ケース。
【請求項５】
前記本体の底部には、１つの切り口が設けられ、前記切り口と前記開口は、互いに連通し、前記切り口によって、前記支持部材を前記開口から取り出すことを特徴とする請求項１又は２に記載の保護ケース 。
【請求項６】
前記第二支持板の第一端部における前記第一突起との間には、第一切欠き部が設けられることを特徴とする請求項１に記載の保護ケース。
【請求項７】
前記第一切欠き部は、Ｕ文字型の切欠き口であることを特徴とする請求項６に記載の保護ケース。
【請求項８】
前記開口の両壁には、それぞれ１つの第一収容孔が設けられ、前記第二支持板の第二端部には、それぞれ第二突起が設けられ、前記２つの第二突起は、それぞれ前記２つの第一収容孔に収容され、且つ前記第一収容孔内で回転することを特徴とする請求項１に記載の保護ケース。
【請求項９】
前記第二支持板の第二端部における前記２つの第二突起との間に１つの第二切欠き部が設けられることを特徴とする請求項８に記載の保護ケース。
【請求項１０】
前記第二切欠き部は、Ｕ文字型の切欠き口であることを特徴とする請求項９に記載の保護ケース。
【請求項１１】
前記第一支持板の第一端部には、少なくとも１つの第三切欠き部が設けられ、前記開口における前記少なくとも１つの第三切欠き部に対応する位置に、前記少なくとも１つの第三切欠き部と組み合わせる少なくとも１つの第三突起が設けられ、前記支持部材が前記開口に収容される際、前記少なくとも１つの第三突起は、前記少なくとも１つの第三切欠き部挿入されて、前記支持部材が前記本体に固定することを特徴とする請求項１に記載の保護ケース。
【請求項１２】
前記少なくとも１つの第三切欠き部及び前記少なくとも１つの第三突起の数量は、それぞれ２つであることを特徴とする請求項１１に記載の保護ケース。
【請求項１３】
前記第一支持板の第一端部の端面は、円弧面であることを特徴とする請求項１又は２に記載の保護ケース 。
【請求項１４】
前記第一支持板の端部には、スリップ防止部が設置されていることを特徴とする請求項１又は２に記載の保護ケース。
【請求項１５】
前記本体は、外部及び内部を備え、前記外部は、前記内部の一側を被覆することを特徴とする請求項１又は２に記載の保護ケース。
【請求項１６】
前記内部は、弾性材料からなり、前記外部は、変形し難い硬質材料からなることを特徴とする請求項１５に記載の保護ケース。
【請求項１７】
前記弾性材料は、熱可塑性ポリウレタン、熱可塑性エラストマー 、ポリプロピレンのいずれか１種であることを特徴とする請求項１６に記載の保護ケース。
【請求項１８】
前記開口は、前記本体の外部及び内部を貫通し、前記内部に位置した前記開口の幅は、前記外部に位置した前記開口の幅より大きく、前記内部に位置した前記開口と前記外部に位置した前記開口との間に、階段面が形成され、前記第一支持板の第一端部は、前記階段面に挿入され、且つ前記階段面に沿って前記本体に対して回転することを特徴とする請求項１５に記載の保護ケース。
【請求項１９】
前記第一支持板の表面には、複数の格子状の凹部が設置されていることを特徴とする請求項１から１８のいずれか１項に記載の保護ケース。
【考案の詳細な説明】
【技術分野】
【０００１】
本考案は、保護ケースに関し、特に電子装置を支持する機能を持っている電子装置保護ケースに関するものである。
【背景技術】
【０００２】
電子技術の発展に伴って、携帯電話、タブレットパソコン等の携帯式電子装置の機能及び外観は益々多様化し、電子装置を用いたインターネット検索、ビデオ放送及びゲーム等のマルチメディア機能の実行も可能になりつつある。電子装置のケース体が傷つくことを防止するために、通常、電子装置を専用の保護ケースに入れて保護する。携帯式電子装置を卓上に据え置く際、表示画面を快適に閲覧するために、通常電子装置に適用するスタンド等を利用して、電子装置に所定の傾斜角度を形成させるように支持する。しかし、別途に予備スタンドを配置し又は携えることは、コストを高め、携帯にも不便であり、紛失し易い。
【考案の概要】
【考案が解決しようとする課題】
【０００３】
以上の問題点に鑑みて、本考案は、電子装置を保護する同時に、電子装置を支持する保護ケースを提供することを目的とする。
【課題を解決するための手段】
【０００４】
上記の課題を解決するために、本考案の保護ケースは、本体を備え、前記本体は、１つの収容部を備え、前記本体には、１つの開口が設けられ、前記保護ケースは、更に前記開口に収容される支持部材を備え、前記支持部材は、第一支持板及び第二支持板を備え、前記第一支持板の第一端部は、前記本体の内側にロックされ、且つ前記開口に沿ってスライドし、前記第一支持板の第二端部は、外力によって前記開口から前記本体の底部を突出し、前記第二支持板の第一端部の両側には、それぞれ第一突起が形成され、前記第一支持板には、１つの凹溝が設けられ、前記凹溝の対向する両壁には、それぞれ少なくとも１つのロック孔が設けられ、前記２つの第一突起は、それぞれ前記凹溝の対向する両壁のロック孔に挿入され、且つ前記第一突起が前記ロック孔に対して回転し、前記第二支持板の第二端部は、回転可能に前記開口の一端に接続する。
【考案の効果】
【０００５】
本考案の保護ケースは、電子装置を保護する同時に、保護ケースに収容されている電子装置を支持する際、保護ケースはスタンドとして電子装置を支持して、ユーザが表示画面を快適に閲覧することができる。電子装置を支持する必要がない場合、支持部材を本体に収容させて、占有する空間を減らすこともできる。
【図面の簡単な説明】
【０００６】
【図１】本考案に係る保護ケースの斜視図である。
【図２】図１に示した保護ケースの別の方向からの斜視図である。
【図３】図２に示した保護ケースの分解図であるである。
【図４】本考案に係る保護ケースの使用状態図である。
【図５】本考案に係る保護ケースのもう１つの使用状態図である。
【図６】図５に示した保護ケースの別の方向から見た部分構造図である。
【考案を実施するための形態】
【０００７】
以下、図面に基づいて、本考案に係る保護ケースについて詳細に説明する。図１及び図２に示したように、本考案に係る保護ケース１００は、本体１０及び該本体１０に回転可能に設置された支持部材２０を備える。保護ケース１００は、携帯電話、タブレットパソコン等の電子装置を収容して保護し、且つ支持する。したがって、電子装置が安定的に直立した状態を維持するため、ユーザが両手で電子装置を持たず表示画面を快適に閲覧することができる。
【０００８】
本体１０は収容部１１を備え、該収容部１１の形状及びサイズは、保護しようとする電子装置の形状及びサイズに適用するため、携帯電話、タブレットパソコン等の電子装置を収容する。本体１０の底面には、１つの開口１２が設けられており、該開口１２は、支持部材２０を収容する。本実施形態において、開口１２は、矩形状の開口である。
【０００９】
図３に示したように、本体１０は内部１０１及び外部１０２を備える。内部１０１は、弾性材料からなり、例えば、熱可塑性ポリウレタン（Ｔｈｅｒｍｏｐｌａｓｔｉｃ ｐｏｌｙｕｒｅｔｈａｎｅｓ, ＴＰＵ）、熱可塑性エラストマー（Ｔｈｅｒｍｏｐｌａｓｔｉｃ Ｅｌａｓｔｏｍｅｒ, ＴＰＥ） 、ポリプロピレン（Ｐｏｌｙｐｒｏｐｙｌｅｎｅ, ＰＰ）等からなるが、これに限らず他の弾性材料からも製造される。弾性材料からなる内部１０１を設置する目的は、保護ケース１００に設置された電子装置が外部からの衝撃を受けた場合、該弾性材料からなる内部１０１が衝撃を吸収して、電子装置を保護する。外部１０２は、変形し難い硬質材料からなり、例えば、ポリカーボネート、金属等からなるが、これに限らず他の変形し難い硬質材料からも製造される。本実施形態において、外部１０２は、中空の構造であり、図３に示したように、外部１０２の底面における開口１２に対応する位置に該開口１２を被覆した接続部が形成され、外部１０２の底面における該接続部以外の部分は中空である。
【００１０】
支持部材２０は、開口１２内に収容されており、保護ケース１００を使用する際、本体１０に対して支持部材２０が回転して、支持部材２０が本体１０内に収容されている電子装置を支持する。支持部材２０は、第一支持板２１及び第二支持板２２を備える。
【００１１】
第一支持板２１の第一端部は、本体１０内部に回転可能にロックされ、且つ開口１２に対してスライドし、第一支持板２１の第二端部は、外力によって開口１２を通過して本体１０の底部から突出される。詳しく説明すると、第一支持板２１の第一端部には、両側に向かって延在して２つのスライド部２１１が形成されている。第一支持板２１が外力によって本体１０の底部から突出する際、２つのスライド部２１１は、それぞれ開口１２の両側と接触して、第一支持板２１の第一端部が本体１０内部にロックされ、且つ開口１２の両側に沿ってスライドする。本実施形態において、第一支持板２１の表面には、複数の格子状の凹部２１４が設置されているが、他の本実施形態において、第一支持板２１の表面の形状は格子状に限らず、他の形状でもよいし、例えば、第一支持板２１の表面が平坦な表面でもよい。第一支持板２１の表面の製造方法において、格子の凹部状の表面を製造する工程が簡単であり、且つ第一支持板２１の強度が優れる。
【００１２】
本実施形態において、本体１０の収容部１１が電子装置を収容した際、電子装置の底部と本体１０とが、スライド部２１１を挟んで、スライド部２１１が開口１２に対して回転できないことを防止するために、本体１０には２つのスライド溝１３が設けられる。本体１０における開口１２の両側の位置には、本体１０の底部の方向に沿って凹んで該２つのスライド溝１３が形成される。２つのスライド部２１１がそれぞれ２つのスライド溝１３に収容され、且つスライド溝１３に沿ってスライドする。本実施形態において、開口１２は、本体１０の内部１０１及び外部１０２を貫通している。本体１０の内部１０１における開口１２の両側位置は外部１０２の方向に沿って凹んでおり、内部１０１の開口１２の両側は凹んで２つのスライド溝１３を形成する。他の実施形態において、開口１２は、本体１０の外部１０２しか形成しない。本体１０の外部１０２における開口１２の両側位置は内部１０１と離れる方向に沿って凹んでおり、外部１０２における開口１２の両側は凹んで２つのスライド溝１３を形成する。また、他の実施形態において、本体１０の内部１０１の開口１２の両側には、内部１０１と離れる方向に沿って突起が形成され、内部１０１の両側の突起と外部１０２との間には、間隙が形成され、該間隙は、スライド部２１１がスライドするためのスライド溝１３である。本実施形態において、内部１０１に位置した開口１２の幅は、外部１０２に位置した開口１２の幅より大きい。内部１０１に位置した開口１２と外部１０２に位置した開口１２との間に、階段面が形成されており、該階段面は、スライド部２１１がスライドするためのスライド溝１３である。
【００１３】
本体１０の底部には、１つの切り口１５が形成されており、該切り口１５は、開口１２と連通して、ユーザが開口１２内に収容された支持部材２０を取り出す場合、該切り口１５によって支持部材２０を開口１２から取り出す。本実施形態において、切り口１５は、半円弧状の溝部であり、開口１２の一端と連通し、かつ第一支持板２１の第二端部が開口１２内に収容される。第一支持板２１の第二端における切り口１５に対応する位置に、凹溝（図示せず）が形成されて、凹溝と切り口１５との間に空間が形成されるので、ユーザが開口１２内に収容された支持部材２０を取り出す場合、該切り口１５及び該空間を利用して簡単に支持部材２０を開口１２から取り出すことができる。
【００１４】
第二支持板２２の第一端部両側には、それぞれ第一突起２２１が設けられ、第一支持板２１には、１つの凹溝２１２が設けられ、該凹溝２１２の対向する両側には、それぞれ少なくとも１つのロック孔２１２１が設けられる。２つのロック孔２１２１の対向する位置は、２つの第一突起２２１の対向する位置に対応し、２つの第一突起２２１は、それぞれ凹溝２１２の対向する両壁のロック孔２１２１にロックされ、且つロック孔２１２１に対して回転して、支持部材２０が本体１０に対して回転して支持する際、第二支持板２２が第一支持板２１に対して回転する（図４及び図５を参考）。２つの第一突起２２１は、対称になるように設置するか、或いは、対称にはならず、互いに離れるように設置する。凹溝２１２は、第一支持板２１の何れかの位置に設けられ、つまり、第一支持板２１を貫通した１つの凹溝である。本実施形態において、２つの第一突起２２１は、対称になるように設置されており、凹溝２１２は、第一支持板２１の中央位置から第一支持板２１の第二端部まで貫通して、支持部材２０が開口１２に収容される場合、凹溝２１２は、第二支持板２２を収容する。
【００１５】
本実施形態において、凹溝２１２の対向する両壁には、互いに連通する複数のロック孔２１２１が設けられており、外力によって２つの第一突起２２１が両壁の異なる位置のロック孔２１２１内にスライドして、支持部材２０が異なる角度で本体１０を支持することができる。本実施形態において、凹溝２１２の各側壁には、複数のロック孔２１２１が、ビーズ状に配列している。
【００１６】
第二支持板２２の第二端部は、開口１２の一端に回転可能に接続する。詳しく説明すると、開口１２の一端の両側には、それぞれ１つの第一収容孔１４が設けられ、第二支持板２２の第二端部の両側には、第二突起２２３が設けられる。２つの第二突起２２３は、それぞれ２つの第一収容孔１４内に収容され、且つ第一収容孔１４内で回転する。
【００１７】
保護ケース１００を組み立てる場合、第二支持板２２の両端は、外力の押圧によって変形して、２つの第一突起２２１及び２つの第二突起２２３がそれぞれロック孔２１２１及び第一収容孔１４内に挿入される。本実施形態において、第二支持板２２の第一端部における２つの第一突起２２１との間に第一切欠き部２２２が設けられ、第二支持板２２の第二端部における第二突起２２３との間に第二切欠き部２２４が設けられる。第一切欠き部２２２及び第二切欠き部２２４の設置目的は、第二支持板２２の両端部が外力の押圧する際変形しやすくするためであり、第二支持板２２の両端は、それぞれ第一支持板２１及び開口１２に取り付ける。第一切欠き部２２２及び第二切欠き部２２４は、矩形状の切欠き口であるか、或いは、半円形状で切欠き口等である。本実施形態において、第一切欠き部２２２及び第二切欠き部２２４は、それぞれＵ文字型の切欠き口である。
【００１８】
第一支持板２１の第二端部には、１つのスリップ防止部２１３が設けられて、第一支持板２１が電子装置を支持する際、支持面（例えば、地面或いは卓上）に対してスリップすることを防止する。スリップ防止部２１３は、第一支持板２１の第二端部を被覆したスリップ防止スリーブであり、例えば、シリコンスリーブ等であり、或いは、第一支持板２１の第一端部に設置されたスリップ防止の図案である。
【００１９】
第一支持板２１の第一端部には、少なくとも１つの第三切欠き部２１５が設けられ、開口１２における少なくとも１つの第三切欠き部２１５に対応する位置には、少なくとも１つの第三切欠き部２１５と組み合わせる少なくとも１つの第三突起１６が設けられている。支持部材２０が開口１２内に収容されている場合、少なくとも１つの第三突起１６を少なくとも１つの第三切欠き部２１５に挿入するため、支持部材２０が本体１０に固定される。本実施形態において、第一支持板２１の第一端部の端面は、円弧面であり、少なくとも１つの第三突起１６及び少なくとも１つの第三切欠き部２１５の数量は、それぞれ２つである。本実施形態において、第一支持板２１の第二端部は、本体１０の一側に向けられており、少なくとも１つの突起（図示せず）が設けられており、本体１０の底部には、該少なくとも１つの突起と組み合わせる少なくとも１つの第二収容孔（図示せず）が設けられており、支持部材２０が開口１２に収容される場合、少なくとも１つの突起は、少なくとも１つの第二収容孔に挿入されて、支持部材２０が安定的に本体１０に収容される。
【００２０】
他の実施形態において、本体１０には、更に、電子装置のカメラ、イヤホン等に対応する通孔及び他の構造が設置されている。
【００２１】
図２に示したように、保護ケース１００の最初の状態で、支持部材２０を開口１２内に収容する。図４〜図６に示したように、保護ケース１００を使用する際、ユーザは、切り口１５に指を入れて第一支持板２１の第二端部を本体１０の底部から取り出す。第一支持板２１の第一端部のスライド部２１１が、本体１０の内側と接触し、第二支持板２２の第一端部は、開口１２に対して回転し、第二支持板２２の第二端部は、第一支持板２１に対して回転して、第二支持板２２と第一支持板２１との間に１つの支持角度が形成される。この際、第一支持板２１、本体１０及び第二支持板２２とは、共同してＡ文字型を形成する。ユーザが電子装置を平面（例えば、卓上）に据え置く際、本体１０と第二支持板２２が同時に平面と接触し、支持部材２０が本体１０及び電子装置を支持して、本体１０及び電子装置を平面に据え置く。第二支持板２２を引き出して、第一突起２２１が異なる位置のロック孔２１２１内にスライドして、本体１０及び電子装置が異なる角度で調整することができる。
【符号の説明】
【００２２】
１００  保護ケース  
１０  本体  
１０１  内部  
１０２  外部  
１１  収容部  
１２  開口  
１３  スライド溝  
１４  第一収容孔  
１５  切り口  
１６  第三突起  
２０  支持部材  
２１  第一支持板  
２１１  スライド部  
２１２  凹溝  
２１２１  ロック孔  
２１３  スリップ防止部  
２１４  凹部  
２１５  第三切欠き部  
２２  第二支持板  
２２１  第一突起  
２２２  第一切欠き部  
２２３  第二突起  
２２４  第二切欠き部
【図１】
0003206201.tif 000003
【図２】
0003206201.tif 000004
【図３】
0003206201.tif 000005
【図４】
0003206201.tif 000006
【図５】
0003206201.tif 000007
【図６】
0003206201.tif 000008